(57)【要約】【課題】通常の使用状態でも、背面側を下にして立てた収納状態でも、どちらの状態でも電源コードのプラグを引き出すことが可能な電気掃除機を提供する。【解決手段】掃除機本体１の本体後部に電源コードを出入させる電源コード出入口（８）を形成し、前記電源コードの電源コード出入口（８）が９０度の範囲内で回動することによって、通常の使用状態では電源コード出入口（８）が掃除機本体１の図１における背面側に位置するようにし、掃除機本体１の背面側を下にして立てた収納状態では、掃除機本体１の図１における上面側に位置するようにすることにより、使用者がどちらの状態でも電源コードのプラグを引き出すことが可能な構成とした。【選択図】図１
2014226179.tif 000002
【特許請求の範囲】
【請求項１】
掃除機本体後部に電源コードを出入させる電源コード出入口を形成し、前記電源コードの電源コード出入口が回動することによって、通常の使用状態でも、背面側を下にして立てた収納状態でも、どちらの状態でも電源コードのプラグを引き出すことが可能な電源コード電源コード出入口を設けたことを特徴とする電気掃除機。
【請求項２】
電源コード巻き取りボタンを押すと、ドラムの付勢力により電源コードが巻き込まれ、前記電源コードのプラグが巻き込まれる付勢力によって、前記電源コードのプラグが電源コード出入口を押して、電源コード出入口が回動することを特徴とする請求項１記載の電気掃除機。
【請求項３】
前記電源コードの電源コード出入口が掃除機本体後部から掃除機本体上部へ９０度以内の範囲で回動することを特徴とする請求項１又は請求項２記載の電気掃除機。
【請求項４】
前記電源コードの回動する電源コード出入口がドラムの回転方向に回動しながら、電源コード出入口単体でも回動することが可能な、２段階に回動する構成としたことを特徴とする請求項１〜３のいずれか１項記載の電気掃除機。
【請求項５】
前記電源コードのプラグ電源コード出入口の位置が回動することによって、ホースを本体に巻いて収納できることを特徴とする請求項１〜４のいずれか１項記載の電気掃除機。
【請求項６】
掃除機本体後部に溝部と、当該溝部に沿って回転可能なカバーと、当該カバーと一体形成された電源コード出入口と、を有し、
前記掃除機本体には電源コードが旋回された状態で収納可能であり、前記カバーの回転と共に前記電源コード出入口を回転させることが可能であることを特徴とする電気掃除機。
【請求項７】
請求項６に記載の電気掃除機であり、
前記電源コードは、当該電源コードを収納する際に本体内部に向かって巻き取られ、前記電源コードの先端が前記電源コード出入口に当接した際に、前記電源コード出入口が電気掃除機前方へ回動して前記溝部の前方端部に当接し、当該当接状態を維持することが可能であることを特徴とする電気掃除機。
【発明の詳細な説明】
【技術分野】
【０００１】
本発明は電気掃除機に係わり、特に電源コード及び電源プラグの出入の操作性の向上を図った電気掃除機に関するものである。
【背景技術】
【０００２】
従来，電気掃除機には掃除機本体内の電動モータを回転させることにより、吸引ファンを回転させて空気の吸引を行い、吸引ファンの前に設けられた集塵バック内に集塵を行うようになっていることが知られている。
【０００３】
この電動モータに駆動電力を供給する電源コードは掃除機本体内のドラムに巻き込まれ、ドラムは電源コードの巻き込み方向に付勢されている。電源プラグの保護及び外観上の問題から電源コードは掃除機本体背面側に形成される場合が多く、四方を壁に囲まれた電源コード出入口から引き出されるようになっており、掃除機本体の使用後には電源プラグをコンセントからはずし、電源コード巻き取りボタンを押すと、ドラムの付勢力により電源コードが巻き込まれるようになっている。
（例えば、特許文献１参照）
【先行技術文献】
【特許文献】
【０００４】
【特許文献１】特開平１１−５６７２２号公報
【発明の概要】
【発明が解決しようとする課題】
【０００５】
しかしながら、従来の電気掃除機の場合、電源コードの電源コード出入口が背面側に設けられているので、通常の使用状態では、電源コードは引き出しやすいのであるが、収納時は、背面側を下にして立てた状態で置かれるので、前記の状態で電源コードを引き出そうとしても、電源プラグが持てず引き出せない。
【０００６】
たとえ、電源プラグが持てたとしても、折り曲げて引き出さなければならないため、電源コードの曲率が大きくなり、電源コードにかかる負荷が大きくなる問題がある。
【０００７】
本発明の電気掃除機は、このような問題に着目してなされたものであり、通常の状態でも、背面側を下にして立てた収納状態でも、電源プラグを取り出しやすくすると共に、電源コードを取り出す際の電源コードにかかる負荷を軽減することを目的とするものである。
【課題を解決するための手段】
【０００８】
上記課題を解決するために、請求項１に記載の発明は、掃除機本体後部に電源コードを出入させる電源コード出入口を形成し、前記電源コードの電源コード出入口が回動することによって、通常の使用状態でも、背面側を下にして立てた収納状態でも、どちらの状態でも電源コードのプラグを引き出すことが可能な電源コード出入口を設けたことを特徴とする。
【０００９】
このため、通常の使用状態でも、背面側を下にして立てた収納状態でも、どちらの状態でも電源コードのプラグを引き出すことが可能である。
【００１０】
請求項２に記載の発明は、請求項１に記載の電気掃除機であり、電源コード巻き取りボ
タンを押すと、ドラムの付勢力により電源コードが巻き込まれ、前記電源コードのプラグが巻き込まれる付勢力によって、前記電源コードのプラグが電源コード出入口を押して、電源コード出入口が回動することを特徴とする。
【００１１】
請求項３に記載の発明は、前記電源コードの電源コード出入口が掃除機本体後部から掃除機本体上部へ９０度以内の範囲で回動することを特徴とする請求項１又は請求項２記載の電気掃除機である。
【００１２】
請求項４に記載の発明は、前記電源コードの回動する電源コード出入口がドラムの回転方向に回動しながら、電源コード出入口単体でも回動することが可能な、２段階に回動する構成としたことを特徴とする請求項１〜３のいずれか１項記載の電気掃除機である。
【００１３】
請求項５に記載の発明は、前記電源コードのプラグ電源コード出入口の位置が回動することによって、ホースを本体に巻いて収納できることを特徴とする請求項１〜４のいずれか１項記載の電気掃除機である。
【００１４】
請求項６に記載の発明は、掃除機本体後部に溝部と、当該溝部に沿って回転可能なカバーと、当該カバーと一体形成された電源コード出入口と、を有し、前記掃除機本体には電源コードが旋回された状態で収納可能であり、前記カバーの回転と共に前記電源コード出入口を回転させることが可能であることを特徴とする。
【００１５】
請求項７に記載の発明は、請求項６に記載の電気掃除機であり、前記電源コードは、当該電源コードを収納する際に本体内部に向かって巻き取られ、前記電源コードの先端が前記電源コード出入口に当接した際に、前記電源コード出入口が電気掃除機前方へ回動して前記溝部の前方端部に当接し、当該当接状態を維持することが可能であることを特徴とする。
【発明の効果】
【００１６】
掃除機に回動する電源コードの電源コード出入口を設けることにより、通常の状態と使用しないときに背面側を下にして立てた収納状態のいずれの状態でも容易に電源プラグを持って、電源コードを引き出すことができて便利であり、かつ、前記のどちらの状態からでも引き出すときの電源コードにかかる負荷を軽減できる掃除機を提供することができる。
【図面の簡単な説明】
【００１７】
【図１】本発明を適用してなる実施例である電気掃除機の通常の使用状態におけるドラムのセンター断面図
【図２】本実施例装置の後方斜視図
【図３】本実施例装置の収納状態における掃除機のドラムのセンター断面図
【図４】本実施例装置の側面図
【図５】本実施例装置の本体ケースと電源コード出入口の斜視図
【図６】本実施例装置の通常の使用状態と収納状態での電源コード出入口の角度比較図
【図７】本実施例装置の電源コード出入口が２段階に回動する掃除機のドラムのセンター断面図
【図８】本実施例装置のホースを本体に巻いた掃除機の状態図
【発明を実施するための形態】
【００１８】
第１の実施態様は、掃除機本体後部に電源コードを出入させる電源コード出入口を形成し、前記電源コードの電源コード出入口が回動することによって、通常の使用状態でも、背面側を下にして立てた収納状態でも、どちらの状態でも電源コードのプラグを引き出す
ことが可能な電源コード出入口を設けたことを特徴とする。
【００１９】
このため、通常の使用状態でも、背面側を下にして立てた収納状態でも、どちらの状態でも電源コードのプラグを引き出すことが可能である。
【００２０】
第２の実施態様は、第１の実施態様の電気掃除機であり、電源コード巻き取りボタンを押すと、ドラムの付勢力により電源コードが巻き込まれ、前記電源コードのプラグが巻き込まれる付勢力によって、前記電源コードのプラグが電源コード出入口を押して、電源コード出入口が回動することを特徴とする。
【００２１】
第３の実施態様は、第１または第２の実施態様において、前記電源コードの電源コード出入口が掃除機本体後部から掃除機本体上部へ９０度以内の範囲で回動することを特徴とする。
【００２２】
第４の実施態様は、前記電源コードの回動する電源コード出入口がドラムの回転方向に回動しながら、電源コード出入口単体でも回動することが可能な、２段階に回動する構成としたことを特徴とする実施態様１〜３のいずれかに記載の電気掃除機である。
【００２３】
第５の実施態様は、前記電源コードのプラグ電源コード出入口の位置が回動することによって、ホースを本体に巻いて収納できることを特徴とする実施態様１〜４のいずれか１に記載の電気掃除機である。
【００２４】
第６の実施態様は、掃除機本体後部に溝部と、当該溝部に沿って回転可能なカバーと、当該カバーと一体形成された電源コード出入口と、を有し、前記掃除機本体には電源コードが旋回された状態で収納可能であり、前記カバーの回転と共に前記電源コード電源コード出入口を回転させることが可能であることを特徴とする。
【００２５】
第７の実施態様は、第６の実施態様の電気掃除機であり、前記電源コードは、当該電源コードを収納する際に本体内部に向かって巻き取られ、前記電源コードの先端が前記電源コード出入口に当接した際に、前記電源コード出入口が電気掃除機前方へ回動して前記溝部の前方端部に当接し、当該当接状態を維持することが可能であることを特徴とする。
【実施例】
【００２６】
（実施の形態）
以下、本発明の実施の形態について、図面を参照しながら説明する。なお、この実施の形態によって本発明が限定されるものではない。
【００２７】
まず、本発明の好ましい実施形態にかかる電気掃除機を図面に基づいて説明する。
【００２８】
図１は本実施形態の電気掃除機のドラムのセンター断面図を示しており、この掃除機本体１の前端部には、集塵用のホース接続穴２が開口されている。掃除機本体１の前部のホース接続穴２の後方には集塵バックを格納する集塵室３が形成されている。
【００２９】
掃除機本体１の後部には吸引ファンを集塵バック側に向けて取り付けた電動モータ（図示せず）が設けられており、電動モータから排出される排気は、掃除機本体１の後部の排気口４から排気されるようになっている。
【００３０】
また、電動モータに給電するための電源コード５は電動モータの隣り合わせに格納され、ドラム６に巻き込まれる。ドラム６は電源コード５を巻き込む方向にバネにより付勢されている。
【００３１】
このように、電源コード５は、電気掃除機本体内で旋回した状態で収納されており、電源コード５を引き伸ばした状態から収納した状態にする際には、使用者が所定のボタンを押下することにより、電源コード５がバネの力により旋回した状態で収納される。一方、電源コード５を収納した状態から引き伸ばした状態にする際には、使用者が電源コード５の先端（電源プラグ７）を引き出すことにより引き伸ばした状態にすることができる。
【００３２】
まず、掃除機本体に形成した電源コード５の電源コード出入口８が図１、２に示した通常の状態（電気掃除機を床面と平行な状態で車輪により移動可能な状態）でも、図３、４に示した電気掃除機の背面側を下にして立てた収納状態でも、どちらの状態でも前記電源コード５の電源コード出入口８が本体ケース９で形成した溝１０に挟まれている（図５参照）。
【００３３】
このため、電気掃除機を図１、２の状態或いは図３、４の状態に回動することが可能であり、どちらの状態からでも電源プラグ７を持って、電源コード５を引き出すことが可能である。更には、電源コード５を取り出す際の電源コード５にかかる負荷も軽減される。
【００３４】
また、図５に示すように、電源コード出入口８は例えば樹脂で形成されており、この電源コード出入口８は、溝１０を覆いかぶさる例えば樹脂で形成されたカバー１７と一体的に形成されている。
【００３５】
このカバー１７が溝１０内を回転することにより、電源コード出入口８も回転する。このカバー１７の長さは、電源コード出入口８が図５の斜視図において、もっとも奥に位置する状態と最も手前に位置する状態の両方の状態において、カバー１７が溝１０全体を覆いかぶせることが可能な長さとすることが好ましい。
【００３６】
このため、例えばカバー１７の長さは溝１０の長さの約２倍とすることが好ましい。このような長さとすることにより、溝１０内部が外から見られることがなく、電気掃除機の美的概観を損なうことを回避することが可能となるだけでなく、塵や埃が電気掃除機内部に侵入することを回避することが可能である。
【００３７】
また、カバー１７は溝１０に沿うように回転するために、その形状は曲面となっている。
【００３８】
図１、２に示した通常の状態では、電源コード５の電源コード出入口８が電気掃除機の背面側に位置しているため、使用者が容易に電源コード５を取り出すことが可能である。
【００３９】
一方、図３、４に示した電気掃除機の背面側を下にして立てた収納状態では、電源コード５の電源コード出入口８を電気掃除機の上面側に位置することにより、使用者はこのような状態でも容易に電源コード５を引き出すことが可能である。
【００４０】
尚、ここでいう電気掃除機の上面側とは、図１に示す状態で、電気掃除機の上側の面であり、背面側とは、電気掃除機の後ろ側の面（排気口４を含んだ後ろ側部分の面）である。また、前方とは図１に示す状態の電気掃除機の前方向、後方とは図１の示す状態の電気掃除機の後ろ方向である。
【００４１】
図３、４に示すように、電源コード５はバネにより巻き込む方向に付勢されているため、電源コード５を巻き取る際に、電源コード５が巻き込む方向に回動し、ついには、電源コード５の電源プラグ７が電源コード５の電源コード出入口８に当たることによって、電源コード出入口８が電気掃除機前方へ回転する力が働き、電源コード出入口８が本体ケー
スのストッパー１６に当たり静止する。
【００４２】
このため、この静止状態では、本体を立てた状態としても、使用者は電源プラグ７を容易に引き出すことが可能である。
【００４３】
逆に、図１、２に示すような状態にするには、例えば、使用者が電気掃除機を床面と平行な状態である通常の使用状態にした後に、電源コード５を引き出し、電源プラグをコンセントに差し込んだ状態とするだけでも、電源コード５が床面と平行な方向に伸ばされているために、電源コード５の電源コード出入口８を床面と並行な方向に回転させることが可能である。即ち、図１、２に示すような状態とすることが可能である。
【００４４】
或いは、使用者が電源コード５の電源コード出入口８を電気掃除機後方側に押し倒すことにより図１、２の状態とすることができる。また、通常の電気掃除機のように電源コード５を伸ばした状態ではバネによる巻き込みの力が弱く若しくは全く働いていなければ、図１、２の状態を維持することが可能である。
【００４５】
尚、他の実施形態として、図１、２に示す状態を維持するためのロック機構、例えば、溝１０とカバー１７夫々に突部とそれに係合する部品を複数形成し、段階的に電源コード５を固定するようにすることも可能である。
【００４６】
或いは、溝１０とカバー１７との間に緩衝部材（例えば、ゴム、スポンジ、或いは樹脂等）を配置し、カバー１７がどのような位置でも停止可能としても良い。
【００４７】
図６に示すように、電源コード５の電源コード出入口８は通常の状態と、本体を立てた収納状態でも、どちらの状態からでも、電源プラグ７を容易に引き出すことが可能とするために、電源コード５の電源コード出入口８は通常の状態から９０度以内の範囲（９０度以内の範囲であれば、例えば、約３０度〜４５度）で回動可能とすることが好ましい。
【００４８】
また、図７に示すように、前記電源コード５の回動する電源コード出入口１１が矢印１２のようにドラムの回転方向に回動しながら、電源コード出入口１３も軸１４を支点として回動することが可能な、２段階に回動する構成とした。これにより、本体を立てた収納状態で電源プラグ７を引き出す際に、より引き出しやすくなることが可能である。
【００４９】
また、図８に示すように、前記電源コード５の電源コード出入口８の位置が回動することによって、ホースを本体に巻いても、電源プラグ７がホース１５を本体に巻いたときに邪魔にならないため、ホース１５を本体に巻いて収納できることが可能となっている。
【産業上の利用可能性】
【００５０】
本発明は、電源コードを収納可能な電気掃除機に広く適用することが可能である。
【符号の説明】
【００５１】
１  掃除機本体
２  ホース接続穴
３  集塵室
４  排気口
５  電源コード
６  ドラム
７  電源プラグ
８  電源コード出入口
９  本体ケース
１０  溝
１１  電源コード出入口
１２  矢印
１３  電源コード出入口
１４  軸
１５  ホース
１６  本体ケースのストッパー
１７  カバー
【図１】
2014226179.tif 000003
【図２】
2014226179.tif 000004
【図３】
2014226179.tif 000005
【図４】
2014226179.tif 000006
【図５】
2014226179.tif 000007
【図６】
2014226179.tif 000008
【図７】
2014226179.tif 000009
【図８】
2014226179.tif 000010